(57)【特許請求の範囲】
【請求項１】
施工手順として、基礎躯体工事、埋め戻し工事、鉄骨工事、地上躯体工事、外装工事を行う建築工法において、地上躯体工事等から腰壁躯体工事を分離し、基礎躯体工事、埋め戻し工事、腰壁工事、鉄骨工事、腰壁除く地上躯体工事、外装工事を行い、鉄骨工事着工前に、鉄骨のベースプレートが干渉する部分の腰壁部に鉄骨のベースプレートの少なくとも一部を収める空間を腰壁下端部と基礎躯体との間の位置に形成して、基礎躯体から立ち上がる腰壁躯体工事を行うことを特徴とする建築工法。
【請求項２】
鉄骨と干渉する部分の腰壁を箱抜きして、鉄骨建て方を実施する請求項１記載の建築工法。
【発明の詳細な説明】
【技術分野】
【０００１】
本発明は、腰壁がある場合の鉄骨構造の建物を建築する建築工法に関するものである。
【背景技術】
【０００２】
腰壁がある場合の鉄骨構造の建物を建築する施工手順としては、通常、基礎躯体施工→埋め戻し→上部躯体の鉄骨建方→腰壁施工→上部壁施工という進行になる。
【０００３】
なお、これは従来から行われている一般的な施工手順であり、特に特許文献等は存在しない。
【０００４】
腰壁に関しては、通常の鉄筋コンクリート施工のものの他に、種々のものが選択可能であるが、例えば工場、倉庫等として用いられるこの種の鉄骨建物の腰壁は、鉄筋を配して、モルタルによりコンクリートブロックを積み上げ構築するのが一般である。
【０００５】
また、鉄骨建物の腰壁として下記特許文献のようなポルトランドセメント系のパネルを用いるものなどもある。
【特許文献１】特開２００２−４７８０３公報
【発明の開示】
【発明が解決しようとする課題】
【０００６】
現在建築工事においては、「品質、コスト、工程、安全、環境」というあらゆる面において、高いレベルが要求される。特に短工期が通例化している。
【０００７】
短工期を達成するためにＶＥ（Value Engineering）、ＣＲ(Cost Reduction：原価低減)、深夜作業や休日作業等を実施している。しかし、過労働の排除という社会の流れや、深夜作業等による安全、品質、コストへの悪影響を考慮すると、それ以外の方法で工期短縮が必要となる。
【０００８】
本発明の目的はこのような要請に応じるものとして、施工手順を見直すことで工期短縮を図ることができる建築工法を提供することにある。
【課題を解決するための手段】
【０００９】
前記目的を達成するため、請求項１記載の本発明は、施工手順として、基礎躯体工事、埋め戻し工事、鉄骨工事、地上躯体工事、外装工事を行う建築工法において、地上躯体工事等から腰壁躯体工事を分離し、基礎躯体工事、埋め戻し工事、腰壁工事、鉄骨工事、腰壁除く地上躯体工事、外装工事を行い、鉄骨工事着工前に、鉄骨のベースプレートが干渉する部分の腰壁部に鉄骨のベースプレートの少なくとも一部を収める空間を腰壁下端部と基礎躯体との間の位置に形成して、基礎躯体から立ち上がる腰壁躯体工事を行うことを要旨とするものである。
【００１０】
請求項１記載の本発明によれば、鉄骨工事着手前に腰壁躯体工事を行うことにより、鉄骨製作の納期の遅れ等による影響を受けずに腰壁躯体工事をすることができ、全体として鉄骨製作の納期の影響が軽減でき、基礎躯体工事を短縮にすることにより全体工期の短縮が実現でき、腰壁の施工性と品質も向上し、鉄骨工事後すぐに外壁工事が着手可能であり、腰壁躯体工事と地上躯体工事の分離が可能で、さらに、壁開口位置のチェックが容易になることで、工期短縮を実現できるものである。
【００１１】
請求項２記載の本発明によれば、鉄骨工事着手前に腰壁躯体工事を完成させることが鉄骨工事の鉄骨建て方と干渉するので困難であれば、鉄骨と干渉する部分の腰壁を箱抜きして干渉を無くすことができる。
【発明の効果】
【００１２】
以上述べたように本発明の建築工法は、全体工期の短縮を実現できるものであり、工期短縮に効果があるだけでなく、品質、コスト、安全においてもプラスであり、旧来よりの施工手順を改新することで負担なく成果を上げることができるものである。
【発明を実施するための最良の形態】
【００１３】
以下、図面について本発明の実施の形態を詳細に説明する。図１は本発明の建築工法の概要を示す説明図で、一般的な施工手順との比較を示したものである。
【００１４】
先に腰壁がある鉄骨構造の建物を建築する場合の一般的な施工手順について説明すると、通常、基礎躯体施工→埋め戻し→地上躯体（上部躯体）の鉄骨建方→腰壁施工→上部壁施工という進行になる。なお、腰壁施工と地上躯体（上部躯体）の施工は、一体的なものとして行われる。
【００１５】
腰壁施工については、種々の方法があり、例えば鉄骨建物が工場、倉庫等として用いられるものでは、鉄筋を配して、モルタルによりコンクリートブロックを積み上げ構築するのが一般であるが、コンクリートの現場打設による方法やプレキャスト部材を用いて腰壁を構築する場合もある。
【００１６】
これに対して本発明は、基礎躯体工事、埋め戻し工事、鉄骨工事、地上躯体工事、外装工事を行う建築工法において、地上躯体工事から腰壁躯体工事を分離し、鉄骨工事着手前に腰壁躯体工事を行うこととした。
【００１７】
この場合に図２、図３に示すように、基礎躯体から立ち上がる腰壁１と柱の鉄骨２とが干渉する。図中３は基礎、４はアンカーボルトである。
【００１８】
鉄骨２のベースプレートが干渉する部分の腰壁１の部分に鉄骨２のベースプレートの少なくとも一部を収める空間を腰壁２の下端部と基礎躯体との間の位置に形成して行う。その場合は、鉄骨２と干渉する部分すなわち、鉄骨２のベースプレート２ａが当たる部分の腰壁１を箱抜き５をして、鉄骨建て方を実施する。
【００１９】
図中６は土間コンクリートであり、外部からの漏水防止のため、この土間コンクリート６の土間天端レベルαは、前記箱抜き５の腰壁箱抜き天端レベルよりも高いものとし、ベースプレート２ａの厚さを考慮してアンカーボルト４の天端レベルβに対して建て方作業の逃げは１００ｍｍ程度確保する。
【００２０】
本発明によれば、鉄骨工事着手前に腰壁躯体工事を行うことにより、鉄骨製作の納期の遅れ等による影響を受けずに腰壁躯体工事をすることができ、全体として鉄骨製作の納期の影響が軽減でき、基礎躯体工事が短縮にすることにより全体工期の短縮が実現でき、腰壁の施工性と品質も向上し、鉄骨工事後すぐに外壁工事が着手可能であり、腰壁躯体工事と地上躯体工事の分離が可能で、さらに、壁開口位置のチェックが容易になることで、さらに、工期短縮を実現できるものであるがこれらについて更に説明する。
【００２１】
〈鉄骨製作納期の影響を軽減〉
鉄骨造の工程計画において、鉄骨製作納期が全体工程に及ぼす影響が大きく、マイルストンを鉄骨建て方開始日（鉄骨製作納期）とする場合が大半である。本発明によれば、鉄骨建て方開始日（鉄骨製作納期）がファブの製作能力や繁忙度等により現場の要求する期日より遅延した場合、その遅延日数を腰壁工事に振替えることで、遅延を吸収することが可能である。（図５参照）
【００２２】
〈基礎躯体工事短縮による全体工期短縮〉
マイルストン（鉄骨建て方開始日）前に腰壁工事を実施することで内装工事期間での工期短縮だけでなく、基礎工事時の工期短縮が全体工期短縮に効果的である。（図６参照）
【００２３】
〈腰壁の施工性と品質向上〉
腰壁施工時、外部足場や鉄骨がないので配筋、型枠、コンクリート打設、型枠解体作業の施工性と品質が向上する。（図７参照）
【００２４】
〈鉄骨工事後すぐに外壁工事が着手可能〉
鉄骨工事完成後、すぐに外壁工事が着手可能である。また、一般的には腰壁を施工するために最下段の胴縁を後施工とするが、本発明では胴縁すべてを完了することも可能である。（図８参照）
【００２５】
〈腰壁躯体工事と地上躯体工事の分離〉
腰壁躯体工事と地上躯体項工事を分離することで鉄筋工や大工の作業の山崩しが可能となる。また、上下作業の回避も容易である。さらに、鉄筋工、大工が基礎躯体工事から継続し腰壁施工に着手することが容易となる。（図９、図１０参照）
【００２６】
〈壁開口位置チェックが容易〉
外部足場架設や胴縁取付時、腰壁より開口位置が容易に確認できる。（図１１参照）
【図面の簡単な説明】
【００２７】
【図１】本発明の建築工法の概要を示す説明図である。
【図２】腰壁と鉄骨の干渉を示す説明図である。
【図３】腰壁と鉄骨の干渉の対処を示す説明図である。
【図４】腰壁と鉄骨の干渉の対処後の説明図である。
【図５】本発明の利点その１を示す説明図である。
【図６】本発明の利点その２を示す説明図である。
【図７】本発明の利点その３を示す説明図である。
【図８】本発明の利点その４を示す説明図である。
【図９】本発明の利点その５を示す工程図である。
【図１０】本発明の利点その５を示す説明図である。
【図１１】本発明の利点その６を示す説明図である。
【符号の説明】
【００２８】
１…腰壁                  ２…鉄骨
２ａ…ベースプレート
３…基礎                  ４…アンカーボルト
５…箱抜き                ６…土間コンクリート
【図１】
0005425418.tif 000002
【図２】
0005425418.tif 000003
【図３】
0005425418.tif 000004
【図４】
0005425418.tif 000005
【図５】
0005425418.tif 000006
【図６】
0005425418.tif 000007
【図７】
0005425418.tif 000008
【図８】
0005425418.tif 000009
【図９】
0005425418.tif 000010
【図１０】
0005425418.tif 000011
【図１１】
0005425418.tif 000012